(57)【要約】【課題】ＰＷＭ信号の特定のデューティー比で、一部の機器のみに生じる画面のちらつきを、効率よく確実に防止することができる電気機器を提供する。【解決手段】ＬＥＤ１２１の輝度レベルの設定を受け付ける輝度操作部６２ａと、輝度レベルを記憶する変更情報記憶部１２５と、変更情報記憶部１２５に輝度レベルが記憶されていない通常生成状態において、輝度レベルに応じたＰＷＭ信号を生成し、変更情報記憶部１２５に輝度レベルが記憶されている場合に、当該輝度レベルに設定されると、生成するＰＷＭ信号のデューティー比を通常生成時とは異なる値に変更する調光信号生成部１２４と、調光信号生成部１２４から入力されるＰＷＭ信号に基づいてＬＥＤ１２１を流れるＬＥＤ電流をＰＷＭ制御するＬＥＤ駆動回路１２３とを備えている。【選択図】図３
2017041401.tif 000002
【特許請求の範囲】
【請求項１】
液晶パネルとＬＥＤを光源とするバックライトとを備えた電気機器であって、
前記ＬＥＤの輝度レベルの設定を受け付ける輝度操作部と、
前記輝度レベルを変更情報として記憶する変更情報記憶部と、
前記変更情報記憶部に輝度レベルが記憶されていない通常生成状態において、前記輝度レベルに応じたＰＷＭ信号を生成し、前記変更情報記憶部に輝度レベルが記憶されている場合に、前記変更情報記憶部に記憶されている輝度レベルに設定されると、生成するＰＷＭ信号のデューティー比を前記通常生成時とは異なる値に変更する調光信号生成部と、
前記調光信号生成部から入力されるＰＷＭ信号に基づいて前記ＬＥＤを流れるＬＥＤ電流をＰＷＭ制御するＬＥＤ駆動回路とを具備することを特徴とする電気機器。
【請求項２】
前記調光信号生成部は、前記変更情報記憶部に輝度レベルが記憶されている場合に、前記変更情報記憶部に記憶されている輝度レベルに設定されると、電流変更信号を出力させ、
前記ＬＥＤ駆動回路は、前記調光信号生成部から前記電流変更信号が入力されると、前記ＬＥＤ電流を異なる値に変更させることを特徴とする請求項１記載の電気機器。
【請求項３】
前記調光信号生成部は、ＰＷＭ信号のデューティー比を大きい値に変更させ、
前記ＬＥＤ駆動回路は、前記ＬＥＤ電流を小さい値に変更させることを特徴とする請求項１記載の電気機器。
【請求項４】
前記調光信号生成部におけるデューティー比の変更率は、前記ＬＥＤ駆動回路における前記ＬＥＤ電流の変更率の逆数であることを特徴とする請求項２又は３記載の電気機器。
【発明の詳細な説明】
【技術分野】
【０００１】
本発明は、液晶パネル（ＬＣＤ）とバックライトとを備えた電気機器に関する。
【背景技術】
【０００２】
複写機やＭＦＰ等の電気機器の操作部には、表示部が設けられている。表示部として用いられる液晶パネル（ＬＣＤ：Liquid Crystal Display）はバックライトを用いることで、より明瞭に表示される。近年では、環境適合等の観点からバックライトとしてＬＥＤ（Light Emitting Diode）が多く用いられている。ＬＥＤの明るさ（輝度）の調節には、一般的にＰＷＭ（Pulse Width Modulation）方式が採用され、ＰＷＭ信号のデューティー比を制御することによって調光を行っている。ＰＷＭ信号の周波数が液晶パネルのフレーム周波数と近い場合には、ＰＷＭ信号によるＬＥＤの明滅が画面のちらつきとなって現れてしまう（例えば、特許文献１参照）。そこで、ＰＷＭ信号には、液晶パネルのフレーム周波数よりも高い、画面のちらつきとして認識されない程度の周波数が採用される。
【先行技術文献】
【特許文献】
【０００３】
【特許文献１】特開２０１３−２３３０３３号公報
【発明の概要】
【発明が解決しようとする課題】
【０００４】
しかしながら、ＰＷＭ信号が特定のデューティー比になると、画面にちらつきが発生してしまうことがあるという問題点があった。この現象は、液晶パネルの個体差や、周囲温度の変化によるフレーム周波数がばらつきに起因するものと考えられ、全ての機器で現れるわけではなく、一部の機器のみで生じる。
【０００５】
本発明は、かかる点に鑑みてなされたものであり、その目的とするところは、ＰＷＭ信号の特定のデューティー比で、一部の機器のみに生じる画面のちらつきを、効率よく確実に防止することができる電気機器を提供することにある。
【課題を解決するための手段】
【０００６】
このような課題を解決するために、本発明の電気機器は、液晶パネルとＬＥＤを光源とするバックライトとを備えた電気機器であって、前記ＬＥＤの輝度レベルの設定を受け付ける輝度操作部と、前記輝度レベルを変更情報として記憶する変更情報記憶部と、前記変更情報記憶部に輝度レベルが記憶されていない通常生成状態において、前記輝度レベルに応じたＰＷＭ信号を生成し、前記変更情報記憶部に輝度レベルが記憶されている場合に、前記変更情報記憶部に記憶されている輝度レベルに設定されると、生成するＰＷＭ信号のデューティー比を前記通常生成時とは異なる値に変更する調光信号生成部と、前記調光信号生成部から入力されるＰＷＭ信号に基づいて前記ＬＥＤを流れるＬＥＤ電流をＰＷＭ制御するＬＥＤ駆動回路とを具備することを特徴とする。
さらに、本発明の電気機器において、前記調光信号生成部は、前記変更情報記憶部に輝度レベルが記憶されている場合に、前記変更情報記憶部に記憶されている輝度レベルに設定されると、電流変更信号を出力させ、前記ＬＥＤ駆動回路は、前記調光信号生成部から前記電流変更信号が入力されると、前記ＬＥＤ電流を異なる値に変更させても良い。
さらに、本発明の電気機器において、前記調光信号生成部は、ＰＷＭ信号のデューティー比を大きい値に変更させ、前記ＬＥＤ駆動回路は、前記ＬＥＤ電流を小さい値に変更させても良い。
さらに、本発明の電気機器において、前記調光信号生成部におけるデューティー比の変更率は、前記ＬＥＤ駆動回路における前記ＬＥＤ電流の変更率の逆数であっても良い。
【発明の効果】
【０００７】
本発明によれば、変更情報記憶部に画面のちらつきが生じる輝度レベルを記憶させておくだけで、画面のちらつきが生じるＰＷＭ信号の特定のデューティー比を変更することができ、一部の機器のみに生じる画面のちらつきを、効率よく確実に防止することができるという効果を奏する。
【図面の簡単な説明】
【０００８】
【図１】本発明に係る電気機器の実施の形態の内部構成を示す概略模式断面図である。
【図２】図１に示す電気機器の概略構成を示すブロック図である。
【図３】図２に示すＬＣＤモジュール及びバックライトのブロック図である。
【図４】図３に示すＬＥＤ駆動回路の回路図である。
【発明を実施するための形態】
【０００９】
次に、本発明の実施の形態を、図面を参照して具体的に説明する。
本実施の形態の電気機器は、電子写真方式を利用した複写機１であり、図１を参照すると、原稿読取部２と、原稿給送部３と、本体部４と、操作部６とを備えている。原稿給送部３は、原稿読取部２の上部に配設されていると共に、原稿読取部２は、本体部４の上部に配設され、原稿読取部２と本体部４との間には、排紙空間４０が形成されている。なお、本実施の形態は、複写機１で説明したが、スキャナー、複合機等が含まれるのは、言うまでもない。
【００１０】
操作部６には、タッチパネル６１と、操作ボタン６２とが設けられている。ユーザーは操作部６を操作して指示を入力することで、複写機１の各種の設定を行い、スキャン動作や画像形成等の各種機能を実行させる。タッチパネル６１は、複写機１の状態を示したり、画像形成状況や印刷部数を表示したり、両面印刷や白黒反転等の機能や倍率設定、濃度設定など各種設定を行えるようになっている。操作ボタン６２としては、スキャン動作や画像形成の開始を指示するスタートボタン、スキャン動作や画像形成の中止を指示するストップボタン、複写機１の各種設定をデフォルト状態にする際に使用するリセットボタン、印字枚数等を入力するテンキー等が設けられている。
【００１１】
原稿読取部２は、光源と撮像素子とを備え、光源の光を原稿ＭＳの画像面に導くと共に、画像面からの反射光をＣＣＤセンサー等の撮像素子に導くスキャナー２１と、プラテンガラス２２と、原稿読取スリット２３とを備える。スキャナー２１は、モーター２４とプーリー２５との間に架け渡された歯付きベルト２６に固定されており、モーター２４を駆動することで、スキャナー２１がプラテンガラス２２に載置された原稿ＭＳの画像面に沿って移動され、原稿ＭＳの画像面を走査（スキャン）するように構成されている。プラテンガラス２２は、ガラス等の透明部材により構成された原稿台である。原稿読取スリット２３は、原稿給送部３による原稿の搬送方向と直交方向に形成されたスリットである。
【００１２】
プラテンガラス２２に載置された原稿ＭＳを読み取る場合には、スキャナー２１をプラテンガラス２２に沿って副走査方向に移動させながら、プラテンガラス２２に載置された原稿ＭＳを主走査方向の１ライン毎に走査することで画像データを取得し、取得した画像データを本体部４に出力する。また、原稿給送部３により搬送された原稿ＭＳを読み取る場合には、スキャナー２１を原稿読取スリット２３と対向する位置に移動させ、原稿読取スリット２３を介し、原稿給送部３による原稿の搬送動作と同期して原稿ＭＳを読み取って画像データを取得し、取得した画像データを本体部４に出力する。
【００１３】
原稿給送部３は、原稿載置部３１と、原稿排出部３２と、原稿搬送機構３３とを備えている。原稿載置部３１に載置された原稿ＭＳは、原稿搬送機構３３によって、１枚ずつ順に繰り出されて原稿読取スリット２３に対向する位置へ搬送され、その後、原稿排出部３２に排出される。なお、原稿給送部３は、可倒式に構成され、プラテンガラス２２上を開閉するプラテンカバーとして機能し、原稿給送部３を上方に持ち上げて開成すると、プラテンガラス２２の上面を開放させることができる。
【００１４】
本体部４は、電子写真プロセスによって記録紙Ｐに記録を施す記録部５を備えると共に、給紙カセット４１と、給紙ローラー４２と、用紙搬送路４３と、搬送ローラー４４、４５と、排出ローラー４６とを備えている。給紙ローラー４２、搬送ローラー４４、４５及び排出ローラー４６は、記録紙Ｐを搬送する搬送部として機能する。給紙カセット４１に収納された記録紙Ｐは、給紙ローラー４２によって用紙搬送路４３に１枚ずつ繰り出され、搬送ローラー４４によって記録部５に搬送される。そして、記録部５によって記録が施された記録紙Ｐは、排出ローラー４６によって排紙空間４０に排出される。
【００１５】
記録部５は、感光体ドラム５１と、帯電器５２と、光走査部５３と、現像部５４と、転写ローラー５５と、定着部５６と、クリーニング部５７とを備えている。記録部５による画像形成は、まず、帯電器５２により感光体ドラム５１の表面を一様に帯電させ、原稿読取部２で読み取った画像データに基づいて、光走査部５３によって感光体ドラム５１の表面を走査することで静電潜像を形成させる。次に、感光体ドラム５１の表面に形成された静電潜像を現像部５４によって現像することでトナー像を形成させる。感光体ドラム５１の表面に形成されたトナー像は、給紙カセット４１から繰り出された記録紙Ｐが、感光体ドラム５１と転写ローラー５５とのニップ部を通過する間に記録紙Ｐに転写される。記録紙Ｐに転写されたトナー像は、定着部５６を通過する間に記録紙Ｐに熱定着される。
【００１６】
図２には、複写機１の概略構成を示すブロック図が示されている。上述の原稿読取部２、原稿給送部３、搬送部（給紙ローラー４２、搬送ローラー４４、４５、排出ローラー４６）、記録部５及び操作部６は、制御部７に接続され、制御部７によって動作制御される。また、制御部７には、画像処理部８と、記憶部９とが接続されている。
【００１７】
制御部７は、ＲＯＭ（Read Only Memory）、ＲＡＭ（Random Access Memory）等を備えたマイクロコンピューター等の情報処理部である。ＲＯＭには複写機１の動作制御を行うための制御プログラムが記憶されている。制御部７は、ＲＯＭに記憶されている制御プログラムを読み出し、制御プログラムをＲＡＭに展開させることで、操作部６から入力された所定の指示情報に応じて装置全体の制御を行う。
【００１８】
画像処理部８は、画像データに対して所定の画像処理を行う手段であり、例えば、拡大縮小処理や、階調調整、濃度調整等の画像改善処理が行われる。
【００１９】
操作部６のタッチパネル６１は、入力装置である位置入力装置１０と、表示装置１１と、表示装置１１のバックライト１２とが積層されている。入力位置を位置入力装置１０によって検知することで、表示装置１１に表示されたどの項目要素が指定されたかが特定される。また、操作部６の操作ボタン６２は、ユーザーによる輝度レベルの設定を受け付ける輝度操作部６２ａを備えている。
【００２０】
表示装置１１は、図３を参照すると、液晶パネル（ＬＣＤ：Liquid Crystal Display）１１１と、液晶パネル１１１を所定のフレーム周波数で駆動するＬＣＤドライバ１１２とを備えている。ＬＣＤドライバ１１２は、制御部７から受信した表示制御信号に基づいて液晶パネル１１１を駆動して各種情報を表示させる。
【００２１】
バックライト１２は、光源であるＬＥＤ（Light Emitting Diode）１２１と、ＬＥＤ電源１２２と、ＬＥＤ駆動回路１２３と、調光信号生成部１２４と、変更情報記憶部１２５とを備えている。
【００２２】
ＬＥＤ１２１は、複数のＬＥＤが直列に接続されたＬＥＤストリングである。ＬＥＤ電源１２２は、スイッチング電源であり、ＬＥＤ１２１のアノードに出力電圧Ｖｏを供給する。なお、複数のＬＥＤ１２１を並列に設けても良く、この場合には、複数のＬＥＤ１２１のアノードにＬＥＤ電源１２２から出力電圧Ｖｏをそれぞれ供給する。
【００２３】
調光信号生成部１２４は、輝度操作部６２ａによって設定を受け付けた輝度レベルに応じたＰＷＭ信号を調光信号として生成し、生成した調光信号をＬＥＤ駆動回路１２３に出力する。
【００２４】
変更情報記憶部１２５は、フラッシュメモリー等の不揮発性の記憶手段である。変更情報記憶部１２５には、輝度レベルが変更情報として必要に応じて記憶される。変更情報記憶部１２５への変更情報の記憶は、出荷時に行われる。実機搭載時等の出荷検査段階で、設定可能な各輝度レベルそれぞれで画面を目視で確認し、画面にちらつきが発生した輝度レベルを変更情報として変更情報記憶部１２５に記憶する。なお、全ての輝度レベルにおいて画面にちらつきが発生しない場合には、変更情報記憶部１２５には変更情報の記憶が行われない。
【００２５】
本実施の形態では、輝度操作部６２ａで受け付ける輝度レベルは、「１」〜「５」の５段階である。変更情報記憶部１２５に変更情報が記憶されていない状態が通常生成状態である。通常生成状態において、調光信号生成部１２４は、輝度レベル「１」でデューティー比２０％のＰＷＭ信号を、輝度レベル「２」でデューティー比４０％のＰＷＭ信号を、輝度レベル「３」でデューティー比６０％のＰＷＭ信号を、輝度レベル「４」でデューティー比８０％のＰＷＭ信号を、輝度レベル「５」でデューティー比１００％のＰＷＭ信号をそれぞれ生成する。変更情報記憶部１２５に輝度レベルが記憶されている場合、調光信号生成部１２４は、変更情報記憶部１２５に記憶されている輝度レベルに設定されると、通常生成時に比べ、生成するＰＷＭ信号のデューティー比を大きい値に変更すると共に、電流変更信号を出力する。なお、変更情報記憶部１２５には、変更するデューティー比の値を変更情報として記憶するようにしても良い。なお、変更情報記憶部１２５に記憶されていない輝度レベルで、調光信号生成部１２４は、通常生成状態と同様のデューティー比のＰＷＭ信号を生成する。
【００２６】
ＬＥＤ駆動回路１２３は、図４を参照すると、誤差増幅器ＥＡ１、ＥＡ２と、出力トランジスタＱ１と、抵抗Ｒｓと、パルス変調器１２６と、ドライバＤＲ１、ＤＲ２、ＤＲ３と、スイッチＳＷ１、ＳＷ２と、定電流源ＣＳと、バッファＢＦ１とを備えている。また、ＬＥＤ１２１のカソードが接続されるＣＨ端子と、ＬＥＤ電源を駆動するスイッチング（ＳＷ）信号を出力するＳＷ端子と、調光信号生成部１２４からの調光信号が入力されるＰＷＭ端子と、調光信号生成部１２４からの電流変更信号が入力されるＩＳ端子と、接地端子に接続されるＧＮＤ端子と、ＬＥＤ１２１を流れるＬＥＤ電流を設定する電流設定抵抗ＲＩＳＥＴ１、ＲＩＳＥＴ２がそれぞれ外付けされるＩＳＥＴ１端子、ＩＳＥＴ２端子とを備えている。
【００２７】
誤差増幅器ＥＡ１は、ＬＥＤ１２１のカソードが接続されたＣＨ端子の電圧と、基準電圧Ｖｒｅｆの誤差を増幅した誤差信号を生成する。パルス変調器１２６は、誤差増幅器ＥＡ１で生成された誤差信号に応じたデューティー比を有するＰＷＭ信号を生成する。ドライバＤＲ１は、パルス変調器１２６で生成されたＰＷＭ信号に基づいて、ＬＥＤ電源１２２のスイッチング素子をオンオフ制御するスイッチング（ＳＷ）信号を生成してＳＷ端子から出力する。これにより、ＣＨ端子の電圧が基準電Ｖｒｅｆと一致するように、ＬＥＤ電源１２２の出力電圧Ｖｏがフィードバック制御される。なお、複数のＬＥＤ１２１を並列に設けた場合、複数のＬＥＤ１２１のカソードがそれぞれ接続される複数のＣＨ端子を設け、誤差増幅器ＥＡ１は、複数のＣＨ端子の内の最も低い電圧と、基準電圧Ｖｒｅｆの誤差を増幅した誤差信号を生成する。これにより、複数のＣＨ端子の内の最も低い電圧が基準電圧Ｖｒｅｆと一致するように、ＬＥＤ電源１２２の出力電圧Ｖｏがフィードバック制御される。
【００２８】
出力トランジスタＱ１は、ＦＥＴ（Field Effect Transistor）やバイポーラトランジスタで構成され、出力トランジスタＱ１と抵抗Ｒｓとは、ＣＨ端子とＧＮＤ端子との間に直列に接続されている。誤差増幅器ＥＡ２の出力端子は、出力トランジスタＱ１の制御端子と接続され、誤差増幅器ＥＡ２の反転入力端子は、出力トランジスタＱ１と抵抗Ｒｓとの接続点に接続されている。これにより、誤差増幅器ＥＡ２の非反転入力端子に入力される電流制御電圧ＶＬＥＤによってＬＥＤ電流の大きさが制御される。
【００２９】
スイッチＳＷ１は、電流制御電圧ＶＬＥＤの誤差増幅器ＥＡ２の非反転入力端子への印加をオンオフする。調光信号生成部１２４によって生成されたＰＷＭ信号は、調光信号としてＰＷＭ端子に入力され、ドライバＤＲ１は調光信号に基づいてスイッチＳＷ１をスイッチングすることで、ＬＥＤ電流をＰＷＭ制御する。すなわち、スイッチＳＷ１がオンで出力トランジスタＱ１がオンされてＬＥＤ電流が流れ、スイッチＳＷ１がオフで出力トランジスタＱ１がオフされてＬＥＤ電流が遮断される。
【００３０】
定電流源ＣＳは、ＩＳＥＴ１端子に向けて定電流Ｉａを出力する。また、ＩＳＥＴ１端子とＩＳＥＴ２端子とは、スイッチＳＷ２を介して接続されている。スイッチＳＷ２は、通常時オフであり、ＩＳ端子に調光信号生成部１２４からの電流変更信号が入力されると、ドライバＤＲ３によってオンされる。これにより、スイッチＳＷ２がオフ状態では、電流設定抵抗ＲＩＳＥＴ１に定電流Ｉａに比例した電圧降下が生じ、この電圧降下が電流制御電圧ＶＬＥＤとしてバッファＢＦ１とスイッチＳＷ１とを介して誤差増幅器ＥＡ２の非反転入力端子に入力される。また、スイッチＳＷ２がオン状態では、電流設定抵抗ＲＩＳＥＴ１と電流設定抵抗ＲＩＳＥＴ２との並列抵抗に定電流Ｉａに比例した電圧降下が生じ、この電圧降下が電流制御電圧ＶＬＥＤとしてバッファＢＦ１とスイッチＳＷ１とを介して誤差増幅器ＥＡ２の非反転入力端子に入力される。電流設定抵抗ＲＩＳＥＴ１に比べて、電流設定抵抗ＲＩＳＥＴ１と電流設定抵抗ＲＩＳＥＴ２との並列抵抗は、抵抗値が小さい。従って、電流変更信号が入力されると、ＬＥＤ電流は、小さい値に変更される。
【００３１】
変更情報記憶部１２５に輝度レベル「３」が記憶され、ＩＳＥＴ１端子に外付けされた電流設定抵抗ＲＩＳＥＴ１が３０ｋΩ、ＩＳＥＴ２端子に外付けされた電流設定抵抗ＲＩＳＥＴ２が１２０ｋΩである場合について説明する。調光信号生成部１２４は、輝度レベル「３」に設定されると、生成するＰＷＭ信号のデューティー比を６０％よりも大きい値に変更すると共に、電流変更信号を出力する。
【００３２】
調光信号生成部１２４によるデューティー比の変更率を、電流設定抵抗ＲＩＳＥＴ１及び電流設定抵抗ＲＩＳＥＴ２の抵抗値に応じて設定可能に構成すると好適である。すなわち、電流設定抵抗ＲＩＳＥＴ１と電流設定抵抗ＲＩＳＥＴ２との並列抵抗は２４ｋΩになる。ＬＥＤ電流は、電流制御電圧ＶＬＥＤに比例するため、電流変更信号が入力されると、４／５の値に変更される。従って、デューティー比の変更率を、ＬＥＤ電流の変更率４／５＝８０％の逆数である５／４＝１２５％とし、調光信号生成部１２４は、輝度レベル「３」でデューティー比を６０％×１．２５＝７５％のＰＷＭ信号を生成する。これにより、ＬＥＤ電流の減少分に対応して、ＰＷＭ信号のパルス幅が広くなるため、デューティー比６０％のＰＷＭ信号と同等の明るさ（輝度）となる。
【００３３】
なお、調光信号生成部１２４によるデューティー比の変更率は、変更情報記憶部１２５に記憶可能に構成すると良い。また、変更情報記憶部１２５に電流設定抵抗ＲＩＳＥＴ１及び電流設定抵抗ＲＩＳＥＴ２の抵抗値を記憶可能に構成し、調光信号生成部１２４で電流設定抵抗ＲＩＳＥＴ１及び電流設定抵抗ＲＩＳＥＴ２の抵抗値に基づいてデューティー比の変更率を算出するようしても良い。
【００３４】
以上説明したように、本実施の形態によれば、液晶パネル１１１とＬＥＤ１２１を光源とするバックライト１２とを備えた複写機１（電気機器）であって、ＬＥＤ１２１の輝度レベルの設定を受け付ける輝度操作部６２ａと、輝度レベルを変更情報として記憶する変更情報記憶部１２５と、変更情報記憶部１２５に輝度レベルが記憶されていない通常生成状態において、輝度レベルに応じたＰＷＭ信号を生成し、変更情報記憶部１２５に輝度レベルが記憶されている場合に、変更情報記憶部１２５に記憶されている輝度レベルに設定されると、生成するＰＷＭ信号のデューティー比を通常生成時とは異なる値に変更する調光信号生成部１２４と、調光信号生成部１２４から入力されるＰＷＭ信号に基づいてＬＥＤ１２１を流れるＬＥＤ電流をＰＷＭ制御するＬＥＤ駆動回路１２３とを備えている。
この構成により、変更情報記憶部１２５に画面のちらつきが生じる輝度レベルを記憶させておくだけで、画面のちらつきが生じるＰＷＭ信号の特定のデューティー比を変更することができ、一部の機器のみに生じる画面のちらつきを、効率よく確実に防止することができる。
【００３５】
さらに、本実施の形態によれば、調光信号生成部１２４は、変更情報記憶部１２５に輝度レベルが記憶されている場合に、変更情報記憶部１２５に記憶されている輝度レベルに設定されると、電流変更信号を出力させ、ＬＥＤ駆動回路１２３は、調光信号生成部１２４から電流変更信号が入力されると、ＬＥＤ電流を異なる値に変更させる。
この構成により、ＰＷＭ信号のデューティー比を変更すると、ＬＥＤ１２１の明るさ（輝度）が変化してしまうが、ＰＷＭ信号のデューティー比の変更に伴ってＬＥＤ電流を変更させることで、ＬＥＤ１２１の明るさ（輝度）の変化を抑制することができる。
【００３６】
さらに、本実施の形態によれば、調光信号生成部１２４は、ＰＷＭ信号のデューティー比を大きい値に変更させ、ＬＥＤ駆動回路１２３は、ＬＥＤ電流を小さい値に変更させる。
この構成により、ＰＷＭ信号のデューティー比の変更（大きい値に変更）に伴ってＬＥＤ電流を変更（小さい値に変更）させることで、ＬＥＤ１２１の明るさ（輝度）の変化を抑制することができる。
【００３７】
さらに、本実施の形態によれば、調光信号生成部１２４におけるデューティー比の変更率は、ＬＥＤ駆動回路１２３におけるＬＥＤ電流の変更率の逆数である。
この構成により、ＰＷＭ信号のデューティー比を変更しても、ＬＥＤ１２１の明るさ（輝度）が変わらない。
【００３８】
なお、本発明が上記各実施の形態に限定されず、本発明の技術思想の範囲内において、各実施の形態は適宜変更され得ることは明らかである。
【符号の説明】
【００３９】
１  複写機
２  原稿読取部
３  原稿給送部
４  本体部
５  記録部
６  操作部
７  制御部
８  画像処理部
９  記憶部
１０  位置入力装置
１１  表示装置
１２  バックライト
２１  スキャナー
２２  プラテンガラス
２３  原稿読取スリット
２４  モーター
２５  プーリー
２６  歯付きベルト
３１  原稿載置部
３２  原稿排出部
３３  原稿搬送機構
４０  排紙空間
４１  給紙カセット
４２  給紙ローラー
４３  用紙搬送路
４４、４５  搬送ローラー
４６  排出ローラー
５１  感光体ドラム
５２  帯電器
５３  光走査部
５４  現像部
５５  転写ローラー
５６  定着部
５７  クリーニング部
６１  タッチパネル
６２  操作ボタン
６２ａ  輝度操作部
１１１  液晶パネル（ＬＣＤ）
１１２  ＬＣＤドライバ
１２１  ＬＥＤ
１２２  ＬＥＤ電源
１２３  ＬＥＤ駆動回路
１２４  調光信号生成部
１２５  変更情報記憶部
１２６  パルス変調器
【図１】
2017041401.tif 000003
【図２】
2017041401.tif 000004
【図３】
2017041401.tif 000005
【図４】
2017041401.tif 000006